(57)【特許請求の範囲】
【請求項１】
光学系装着軸と前方の照星及び後方の照門の中心がなす軸とが平行になるよう調整する携帯用レーザ送信器光軸調整方法において、望遠鏡の光軸とレーザ送信器の照星及び照門の中心がなす軸とが平行になるようレーザ送信器を取り付ける光軸調整用ベースにレーザ送信器を取り付け固定し、該光軸調整用ベースに取り付けた望遠鏡の光軸とレーザ送信器の光学系装着軸の機械的位置関係を記した的を前方に設置し、該的に前記光軸調整用ベースの望遠鏡でその位置を照準すると共にレーザ送信器でレーザ光を照射してそのずれをレーザ送信器の光学系で調整することを特徴とする携帯用レーザ送信器光軸調整方法。
【請求項２】
光学系装着軸と前方の照星及び後方の照門の中心がなす軸とが平行になるよう調整する携帯用レーザ送信器光軸調整方法に使用する光軸調整用ベースであって、望遠鏡が装着され、該望遠鏡の光軸とブロック中心がなす軸とが平行となるレーザ送信器の照星を嵌合する凹形状ブロックと照門が嵌合する凸形状ブロックが設けられ、前記凹形状ブロックに照星を嵌合し凸形状ブロックに照門を嵌合して取り付けたレーザ送信器を固定する手段を備えたことを特徴とする光軸調整用ベース。
【発明の詳細な説明】
【０００１】
【発明の属する技術分野】
本発明は、レーザ光を利用した射撃訓練において用いるピストル形状の携帯用レーザ送信器の光軸調整方法及びその光軸調整方法に使用する光軸調整用ベースに関するものである。
【０００２】
【従来の技術】
図５は、従来のレーザ送信器の光軸調整方法を説明するものである。レーザ送信器５１は、レーザを発光する光学系５２を送信器シャーシ５３に組み込んだのち、その光軸を望遠鏡でねらった目標方向へ投射するため調整を行なう必要がある。このため基準となる望遠鏡を必要精度で装着可能なように取付けベース５４をシャーシ５３に設けておき、望遠鏡６１をレーザ送信器のシャーシ５３に装着する。装着は望遠鏡６１を固定したベース６２を送信器の取付けベース５４に固定ねじ６３で固定する。
【０００３】
前方には、あらかじめ設定された望遠鏡の光軸位置５８とレーザ光軸位置５９の機械的位置関係が記された的５７を設置し、望遠鏡６１でその的５７を照準し、レーザ送信器５１で照射する。
【０００４】
レーザ送信器５１の製作上の誤差がなければ、レーザ光は的５７に設定されたレーザ光軸位置５９に照射されるが、実際には、製造上の誤差やばらつき等でレーザ照射位置が設定された位置５９よりずれた位置にレーザ照射される。そこで光軸調整は、レーザ照射位置が設定された機械的位置関係になるように光学系５２を上下左右に移動調整し、レーザ光軸５６を調整し望遠鏡６１の光軸６４を基準に両者が平行になり、的５７の各々の光軸位置に照射されるようにする。
【０００５】
この光軸調整を行なうことによりレーザ送信器５１に装着された望遠鏡６１で狙った目標にレーザ光線が照射されることになる。
【０００６】
【発明が解決しようとする課題】
しかしながら、この従来の方法においては、レーザ送信器５１のシャーシ５３側に望遠鏡６１を装着可能とするため、図６に示すように、ある程度の面積を有する取付ベース５４と取付精度を確保するためのピン５５等を具える必要があり、レーザ送信器ケースの外形および外形寸法等にかなり影響を及ぼす。
【０００７】
通常、ピストル形状のレーザ送信器は、遠距離の目標を照射するものではなく、その必要が無いため、運用時においては望遠鏡を装着する必要がない。したがって望遠鏡を装着するのは製作時に実施する光軸調整段階のみであり、運用時においては望遠鏡は使用しない。
【０００８】
このため従来の光軸調整方法をピストル形状の携帯用レーザ送信器に用いた場合は、外形に運用時には無用の取付ベース５４とか位置決め用のピン５５等の突起物が存在することになり、質量、操作性、運用性およびデザインの面から不利である。
【０００９】
本発明の目的は、従来技術の問題点である光軸調整用の望遠鏡取付構造を具備させることなくピストル形状のレーザ送信器の光軸調整を可能とする携帯用レーザ送信器光軸調整方法及び光軸調整用ベースを提供することにある。
【００１０】
【課題を解決するための手段】
上記目的は、望遠鏡の光軸とレーザ送信器の照星及び照門の中心がなす軸とが平行になるようレーザ送信器を取り付ける光軸調整用ベースにレーザ送信器を取り付け固定し、該光軸調整用ベースに取り付けた望遠鏡の光軸とレーザ送信器の光学系装着軸の機械的位置関係を記した的を前方に設置し、該的に前記光軸調整用ベース上の望遠鏡でその位置を照準すると共にレーザ送信器でレーザ光を照射してそのずれをレーザ送信器の光学系で調整することによって達成される。
【００１１】
また、上記目的は、望遠鏡が装着され、該望遠鏡の光軸とブロック中心がなす軸とが平行となるレーザ送信器の照星を嵌合する凹形状ブロックと照門が嵌合する凸形状ブロックが設けられ、前記凹形状ブロックに照星を嵌合し凸形状ブロックに照門を嵌合して取り付けたレーザ送信器を固定する手段を備えた光軸調整用ベースによって達成される。
【００１２】
上記手段によると、レーザ送信器光軸調整は、レーザ送信器を光軸調整用ベースに照星及び照門の中心がなす軸が望遠鏡の光軸と平行になるよう取付け、望遠鏡の光軸とレーザ送信器の光学系装着軸の機械的位置関係を記した的に対して望遠鏡で照準しレーザ送信器でレーザ照射して、そのずれをレーザ送信器の光学系で調整することにより光軸を望遠鏡の光軸に平行に調整することができる。これによりレーザ送信器の照星及び照門の中心がなす軸が望遠鏡の光軸と平行に取り付けられているから、光軸（光学系装着軸）と照星及び照門の中心がなす軸とが平行に調整される。
【００１３】
光軸調整用ベースへのレーザ送信器の取り付けは、光軸調整用ベースに望遠鏡が装着されており、該望遠鏡の光軸とブロック中心がなす軸とが平行となるレーザ送信器の照星が嵌合する凹形状ブロックと照門が嵌合する凸形状ブロックが設けられているから、レーザ送信器を逆にして凹形状ブロックに照星を嵌合し凸形状ブロックに照門を嵌合することにより、望遠鏡の光軸とレーザ送信器の照星及び照門の中心がなす軸とが平行するよう容易に取り付けることができる。
【００１４】
光軸調整後は、レーザ送信器を光軸調整用ベースから外して運用するので、運用時に突起物等が存在せず、操作性、運用性にすぐれ、デザイン的にも好ましいものとなる。
【００１５】
【発明の実施の形態】
以下、本発明の実施の形態を図面を参照して説明する。
【００１６】
図４は、本発明の一実施形態のピストル形状をした携帯用レーザ送信器の外形を示す。図４の（イ）が平面図、（ロ）が側面図、（ハ）が正面図である。１はピストル形のレーザ送信器で、ハンドル２を有し、上面に目標に照準するための前方に凸形状の照星３が、後方には凹形状の照門４が設けられ、中心部長手方向にレーザ光を発光する光学系５が設けられている。前記照星３及び照門４の凸部と凹部の溝幅は若干太くし、その根本を長手方向に延長して形成する。また光学系５の装着軸（レーザ光軸）７と照星３の凸部中心と照門４の凹部の中心がなす軸６とが機械的に平行となるように照星及び照門を製作する。
【００１７】
図１は、本発明の一実施形態の光軸調整用ベースを示す。８が光軸調整用ベースで、基準となる望遠鏡９を装着したベース８上に前方に凹形状したブロック１０を、後方に凸形状をしたブロック１１を配設し、望遠鏡光軸１２と凹形状ブロック１０の中心と凸形状ブロック１１の中心とがなす軸１３が機械的に平行となるよう調整して設けられている。また凹形状をしたブロック１０の溝部はレーザ送信器上の照星凸部が高精度で嵌合するように製作され、また凸形状をしたブロック１１の突起部はレーザ送信器上の照門凹部が高精度で嵌合するように製作されている。
【００１８】
光軸調整に当っては、図２に正面図、図３に側面図を示すように、前記光軸調整用ベース８に光軸調整しようとするレーザ送信器１を取り付ける。レーザ送信器を逆さにして、前方の照星３をベース前方の凹形状ブロック１０に嵌合させる。また同様に後方の照門４をベース後方の凸形状ブロック１１に嵌合させる。こうして取り付けられたレーザ送信器１をベースに付属する押さえ用ねじ１４でしっかりと固定する。
【００１９】
このレーザ送信器１をベース８に取り付け固定した状態で、光軸調整用ベース上の望遠鏡９の光軸１２と、ベース上凹形状をしたブロック１０に嵌合した照星３と凸形状をしたブロック１１に嵌合した照門４の中心がなす軸は機械的に平行になっている。
【００２０】
レーザ送信器１の光学系装着軸（レーザ光軸）７と照星３の凸部中心と照門４の凹部中心がなす軸６は機械的に平行となるよう製作されるが、さらに製作誤差を精密に調整する必要がある。
【００２１】
光軸調整は図５において説明したように、望遠鏡９の光軸１２とレーザ送信器１の光学系装着軸（レーザ光軸）７の機械的位置関係を記した的を前方に配置し、光軸調整用ベース８上の望遠鏡９でその位置を照準し、同様に光軸調整用ベース８に取り付けたレーザ送信器１からレーザ光を照射し、そのずれを調整する。レーザの照射位置調整は光学系５を左右上下に動かしレーザ光軸７を照射位置のずれが無くなるまで調整する。そして、この調整によりレーザ送信器１のレーザ光は常に送信器上の照星３と照門４の中心がなす軸方向に照射されるようになる。
【００２２】
以上のようにして光軸調整を完了したレーザ送信器１は光軸調整用ベース８から取り外して運用する。ベースの押え用ねじ１４を外すことによりレーザ送信器１のみ容易に外すことができる。
【００２３】
【発明の効果】
以上説明したように本発明によれば、光軸調整のための望遠鏡取付構造を必要とすることなく、レーザ送信器の光軸調整をすることができる。そのため小型で、不要な突起物が存在せず、操作性、運用性にすぐれ、デザイン的にも制約が少なくなる。また望遠鏡を装着した光軸調整用ベースに照星を嵌合する凹形状ブロックと照門を嵌合する凸形状ブロックを設け、これに照星及び照門を嵌合することによりレーザ送信器の取り付け取り外しが容易で、光軸調整作業も容易にできる効果がある。
【図面の簡単な説明】
【図１】本発明の一実施形態の光軸調整用ベースの構成図。
【図２】レーザ送信器の光軸調整用ベースに固定された状態の正面図。
【図３】レーザ送信器の光軸調整用ベースに固定された状態の側面図。
【図４】本発明の一実施形態のレーザ送信器の平面（イ）、側面（ロ）、及び正面（ハ）図。
【図５】従来の光軸調整方法の説明図。
【図６】従来のレーザ送信器の平面（イ）、及び側面（ロ）図。
【符号の説明】
１…レーザ送信器、２…ハンドル、３…照星、４…照門、５…光学系、６…照星と照門の中心がなす軸、７…レーザ光軸、８…光軸調整用ベース、９…望遠鏡、１０…前方凹形状ブロック、１１…後方凸形状ブロック、１２…望遠鏡光軸、１３…前方凹形状ブロックと後方凸形状ブロックの中心がなす軸、５７…的、５８…望遠鏡光軸位置、５９…レーザ光軸位置。
【図１】
0004249851.tif 000002
【図２】
0004249851.tif 000003
【図３】
0004249851.tif 000004
【図４】
0004249851.tif 000005
【図５】
0004249851.tif 000006
【図６】
0004249851.tif 000007